(57)【特許請求の範囲】
【請求項１】
遊技機の制御プログラムを記録したＲＯＭを備えた制御基板を収容して透明窓部を形成した制御基板ボックスであって、上記透明窓部裏面に近接せしめて配置した外部と光通信するための光通信インターフェイスと、上記ＲＯＭのダンプ要求に対して同光通信インターフェイスを介してダンプ結果を出力するＲＯＭダンプ手段とを具備することを特徴とする制御基板ボックス。
【請求項２】
遊技機の制御プログラムを記録したＲＯＭを備えた制御基板を収容して透明窓部を形成した制御基板ボックスであって、周辺に凸凹を形成した上記透明窓部の裏面に近接せしめて配置した外部と光通信するための光通信インターフェイスと、上記ＲＯＭのダンプ要求に対して同光通信インターフェイスを介してダンプ結果を出力するＲＯＭダンプ手段とを具備することを特徴とする制御基板ボックス。
【発明の詳細な説明】
【０００１】
【発明の属する技術分野】
本発明は、パチンコ機などに使用して好適な制御基板ボックスに関する。
【０００２】
【従来の技術】
パチンコ機などの遊技機の制御基板上には制御プログラムを記録したＲＯＭが配置されており、通常、このＲＯＭの内容を書き換えることができないように制御基板を制御基板ボックスに収容して封印している。
しかしながら、封印しているにもかかわらず巧妙にＲＯＭを書き換えることも行われるため、ＲＯＭの内容をチェックする必要が生じる。
【０００３】
従来の制御基板ボックスの場合、ＲＯＭをチェックするためには封印した制御基板ボックスを開封し、ＲＯＭを取り出してＲＯＭライターにセットして正規のＲＯＭと比較していた。
【０００４】
【発明が解決しようとする課題】
上述した従来の制御基板ボックスにおいては、各種封印手段により封印されているためＲＯＭのチェックをするために制御基板ボックスを開封しなければならず、取り外しに手間がかかるのでチェックに時間を要するという課題があった。一方、チェックのために専用の端子を設けることも技術的には不可能ではないが、専用の端子を設けると不正に使用されやすいので、専用の端子は使用できない。
【０００５】
本発明は、上記課題にかんがみてなされたもので、ＲＯＭの内容を容易にダンプすることが可能な制御基板ボックスの提供を目的とする。
【０００６】
【課題を解決するための手段】
上記目的を達成するため、その前提として、遊技機の制御プログラムを記録したＲＯＭを備えた制御基板を収容する制御基板ボックスであって、外部と光通信するための光通信インターフェイスと、上記ＲＯＭのダンプ要求に対して同光通信インターフェイスを介してダンプ結果を出力するＲＯＭダンプ手段とを具備することが考えられる。
【０００７】
上記態様においては、制御基板ボックス内に遊技機の制御プログラムを記録したＲＯＭを備えた制御基板を収容しているとともに、光通信インターフェイスによって外部と光通信可能となっており、ＲＯＭダンプ手段はＲＯＭのダンプ要求が入力されると上記光通信インターフェイスを介してダンプ結果を出力する。
すなわち、光通信で制御基板ボックスの内部のＲＯＭを外部にて読み出すことが可能となり、制御基板ボックスを開封したり、コネクタを採用する必要はない。
【０００８】
光通信インターフェイスは各種の構成が可能であり、少なくともＬＥＤなどの発光素子を備えて外部にデータを出力可能であればよい。この場合、受光側に誤ったデータを出力しないように可視光以外の赤外線などを利用するようにしても良い。むろん、データの出力方式については、シリアルで出力したり、パラレルで出力したり、特殊フォーマットで出力するなど適宜変更可能である。
また、この光通信インターフェイスは入力手段としても利用可能である。すなわち、当該光通信インターフェイスを介してＲＯＭのダンプ要求を入力せしめてもよいし、また、ＲＯＭのダンプ範囲などを入力させても良い。
【０００９】
光通信インターフェイスの形態は基板上にＬＥＤなどを配置させても良いし、あるいは基板上から制御基板ボックス表面まで浮かせるようにして配置しても良い。この場合、制御基板ボックス自体には樹脂製の透明窓部が形成されていることが多いので、当該透明窓部裏面に近接せしめて配置しておき、透明窓部を介して光信号を送受する構成とすればよい。このようにすれば制御基板ボックス自体を各種封印手段により略密閉させようとする今後の傾向にも合致する。また、このような透明窓部の周辺に凹凸を形成しておけば外部側の光通信インターフェイスを位置合わせしやすくなる。
上記に鑑みて、本発明の請求項１においては、遊技機の制御プログラムを記録したＲＯＭを備えた制御基板を収容して透明窓部を形成した制御基板ボックスであって、上記透明窓部裏面に近接せしめて配置した外部と光通信するための光通信インターフェイスと、上記ＲＯＭのダンプ要求に対して同光通信インターフェイスを介してダンプ結果を出力するＲＯＭダンプ手段とを具備する構成としてある。
また、請求項２は、遊技機の制御プログラムを記録したＲＯＭを備えた制御基板を収容して透明窓部を形成した制御基板ボックスであって、周辺に凸凹を形成した上記透明窓部の裏面に近接せしめて配置した外部と光通信するための光通信インターフェイスと、上記ＲＯＭのダンプ要求に対して同光通信インターフェイスを介してダンプ結果を出力するＲＯＭダンプ手段とを具備する構成としてある。
【００１０】
一方、制御基板ボックスには放熱用のスリットが形成されるのが通常であるため、当該スリットを介して外部側の光通信インターフェイスを挿入するようにしても良い。この場合、上記ＬＥＤなどは基板上に配設すればよく、製造が容易となる。また、スリットを介して挿入する外部側の光通信インターフェイスは当該スリットによって位置合わせできるというメリットもある。さらに、制御基板ボックスに専用の凹部を設け、光通信インターフェイスのＬＥＤなどを当該凹部内部に面して配置するとともに、外部側の光通信インターフェイスは当該凹部内に挿入可能な凸部を形成するとともに受光素子を同ＬＥＤに対面する位置に配置するようにしても良い。この場合、凹部底面にスイッチを配設しておき、外部側の光通信インターフェイスを当該凹部内に挿入したときに同スイッチがオンとなるようにすれば、挿入時にＲＯＭのダンプ要求を発するようにすることもできる。
【００１１】
一方、ＲＯＭダンプ手段はＲＯＭの内容を上記光通信インターフェイスを介して送信可能であればよく、例えば、制御用ＣＰＵとその制御プログラムなどによって構成すればよい。また、ＲＯＭのダンプ要求を入力するためにスイッチや操作子を備えても良いし、上述したようにかかるＲＯＭダンプ要求自体を光通信インターフェイスを介して送受信するようにしても良い。むろん、専用の読出回路を形成しておき、スイッチを操作することによって遊技制御用ＣＰＵを停止させ、ダンプを実行するなどしても良い。
【００１２】
【発明の効果】
以上説明したように本発明は、各種封印手段の封印を開封することなく、また、専用のコネクタなどを使用しないで内部のＲＯＭ内容を容易にダンプすることが可能である。
また、周辺に凹凸を形成した透明窓部により外部側の光通信インターフェイスを位置あわせしやすく、上記透明窓部を介して光信号を送受することで略密閉性が向上した制御基板ボックスを提供することができる。
【００１３】
【発明の実施の形態】
＜第一実施形態＞
以下、図面にもとづいて本発明の実施形態を説明する。
図１は、本発明の一実施形態にかかる制御基板ボックスを平面図により示しており、図２は図１におけるＩＩ−ＩＩ矢視断面図を示している。
【００１４】
同図において、パチンコ機などの遊技機に使用される当該制御基板ボックス１０は、合体して一つの筺体を形成する金属製ケース１１を備えており、当該金属製ケース１１は上ケース１１ａと下ケース１１ｂとから構成されている。これらの上ケース１１ａと下ケース１１ｂには放熱用のたくさんのスリット１１ａ１などが形成され、また、上ケース１１ａについては内部を透視しやすいように窓穴１１ａ２と後述する光通信インターフェイス用の窓穴１１ａ３，１１ａ４が形成されている。ただし、上ケース１１ａについてはこの窓穴１１ａ２，１１ａ３，１１ａ４を塞ぐように当該上ケース１１ａの裏面側に透明の樹脂板１２を配設してある。なお、窓穴１１ａ２は中央部分に、窓孔１１ａ３，１１ａ４は上方左右部分にというように合計三ヶ所に形成されている。
【００１５】
なお、本実施形態においては、金属製ケース１１と透明の樹脂板１２とで筺体を形成しているが、全体を透明の樹脂製で形成するということも可能である。また、本実施形態においては、パチンコ機に使用しているが、スロットマシンなどの他の遊技機に使用しても構わない。
金属製ケース１１は、その内部に各種の制御素子を配置された基板２０を収容しており、図示しないフラットケーブルを介して外部のセンサや表示器に接続されている。また、当該基板２０上であって上述した窓穴１１ａ３，１１ａ４に対面する位置にはブリッジ状の樹脂性支持部材３１ａ，３１ｂによってそれぞれ八つのＬＥＤ３２と八つのフォトトランジスタ３３とが支持されている。これらのＬＥＤ３２とフォトトランジスタ３３は基板２０上に配置された図３に示すようなインターフェイス回路３４に接続されており、上記基板２０上に配置された制御用のＣＰＵ２１における一つのＩ／Ｏ回路として機能する。
【００１６】
なお、本実施形態においては、個別の樹脂性支持部材３１ａ，３１ｂによってＬＥＤ３２とフォトトランジスタ３３とを別個に支持しているが、むろん一体の支持部材で構成することもできる。また、本実施形態においては、樹脂性支持部材３１ａ，３１ｂに貫通孔３１ａ１，３１ｂ１を形成し、その中に無理入れするようにしてＬＥＤ３２とフォトトランジスタ３３とを収容している。従って、少なくとも下方からの余分な散乱光などが入り込まないようにするとともに光の直進性を保持して通信データに誤りが生じにくくしている。
【００１７】
一方、基板２０上には上記ＣＰＵ２１に対して制御用のプログラムを記録したＲＯＭ２２とともに上述した外部のセンサや表示に接続される遊技制御Ｉ／Ｏ２３も装着されている。ここにおいて、同ＲＯＭ２２に記録された制御用のプログラムを図４のフローチャートに示しており、基本的には、ステップＳ１００にて初期化した後、ステップＳ１１０にて遊技制御Ｉ／Ｏ２３からセンサなどの検出信号などを入力し、ステップＳ１２０にてそれに応じた制御を実行し、ステップ１３０にて同遊技制御Ｉ／Ｏ２３を介して表示器や役物などに制御信号を出力するという処理を繰り返している。
【００１８】
なお、金属製ケース１１にはキースイッチ１３が接続されており、ＣＰＵ２１は起動後に同キースイッチ１３の回転ポジションを検出して一部のパラメータを変更するようになっている。また、このキースイッチ１３を所定位置に回転させるとＲＯＭダンプ指令を意味する。ＣＰＵ２１はキースイッチ１３の回転位置に応じてＲＯＭダンプ指令であると検出した場合、図５に示す光通信処理を実行するが、かかる光通信処理を説明する前に図６および図７に示す外部光通信インターフェイス４０について説明する。
【００１９】
外部光通信インターフェイス４０は、縦長のグリップ部４１の先端に横長のヘッド部４２を形成した概略Ｔ字形に形成されており、ヘッド部４２には上記基板２０上のＬＥＤ３２に対面してフォトトランジスタを配置した入力部４２ａと上記基板２０上のフォトトランジスタ３３に対面して配置した出力部４２ｂとが形成されている。それぞれの入力部４２ａと出力部４２ｂは上記上ケース１１ａの窓穴１１ａ３，１１ａ４に対応したやや突出しており、上ケース１１ａの厚み分だけ窓穴１１ａ３，１１ａ４に入り込んで位置合わせが容易となっている。むろん入力部４２ａには八つのフォトトランジスタ４２ａ１が配置され、出力部４２ｂには八つのＬＥＤ４２ｂ１が配置されている。
【００２０】
むろん、この外部光通信インターフェイス４０は図示しないコンピュータなどに接続されて通信可能となっている。
なお、本実施形態においては、上述したＬＥＤ３２，４２ｂ１やフォトトランジスタ３３，４２ａ１は赤外線光を発光及び受光することにより、ホールの可視光照明によって誤動作しにくくしている。
次に、上記構成からなる本実施形態の動作を説明する。
作業者はＲＯＭ内容を見たい場合に外部光通信インターフェイス４０を金属製ケース１１の上ケース１１ａに形成した窓穴１１ａ３，１１ａ４に入力部４２ａと出力部４２ｂとを位置合わせし、キースイッチ１３をＲＯＭダンプの支持ポジションに回転させる。
【００２１】
一方、通常時、ＣＰＵ２１は図４に示すようなメインのループ処理を実行しているが、キースイッチ１３がＲＯＭダンプの支持ポジションに回転されたことを検出すると、図５に示す光通信処理を実行する。
この光通信処理の起動後、ＣＰＵ２１はステップＳ２１０にてコマンド待機となる。コマンド待機はインターフェイス回路３４を介して光信号が入力されるのを待機するものであり、上述した外部光通信インターフェイス４０が所定のプロトコールを満足するように出力部４２ｂのＬＥＤ４２ｂ１を発光させることにより、コマンドを表す光信号を送信する。すると、ＬＥＤ４２ｂ１の明滅をフォトトランジスタ３３が検知して適宜オン・オフとなり、これをインターフェイス回路３４がＣＰＵ２１に出力する。
【００２２】
ＣＰＵ２１はインターフェイス回路３４からフォトトランジスタ３３のオン・オフ状況を入力すると、ステップＳ２２０にてそれが表すコマンドを解析する。コマンド自体はダンプ要求を意味する他、Ｉ／Ｏのチェック要求も意味するようになっており、さらにダンプ要求の場合には全範囲も可能であるし、アドレス指定した一部の範囲でも可能となっている。
従って、先ずステップＳ２３０にてダンプ要求を表すか否かを判断し、解析したコマンドがダンプ要求を表す場合は、さらにステップＳ２４０にて全範囲か指定範囲かを判断する。全範囲を指定された場合、ステップＳ２５０にてダンプを出力し、アドレス指定されている場合にはステップＳ２６０にて指定範囲だけダンプする。
【００２３】
ダンプする場合、ＣＰＵ２１はＲＯＭ２２の内容を読み出し、インターフェイス回路３４を介して所定のプロトコルとなるようにＬＥＤ３２を発光させる。すると、外部光通信インターフェイス４０における入力部４２ａのフォトトランジスタ４２ａ１がＬＥＤ３２の明滅に応じてオン・オフとなり、外部のコンピュータにその状況を通知する。そして通知が完了したら出力部４２ｂを介してアクノリッジを出力し、ＣＰＵ２１はコマンド入力時と同様にしてそのアクノリッジを受信するとともに、ＲＯＭ２２の次のアドレスの内容を読み出す。以下、これを繰り返すことにより、ＲＯＭ２２のダンプを実行する。むろん、全範囲を指定するというのはＲＯＭ２２の全アドレスを意味するものであり、アドレス指定するというのはＲＯＭ２２のアドレスを指定することを意味している。
【００２４】
このように、ＲＯＭ２２を装着した基板２０を金属製ケース１１にて収容しつつ、同基板２０上にはインターフェイス回路３４を介してＬＥＤ３２とフォトトランジスタ３３とを接続するとともに、同インターフェイス回路３４は上記ＲＯＭ２２に接続されたＣＰＵ２１に接続したので、外部光通信インターフェイス４０より所定のダンプ要求コマンドをフォトトランジスタ３３に送信するとＣＰＵ２１は光通信処理の中で同ＲＯＭ２２の内容を読み出し、ＬＥＤ３２を介して上記外部光通信インターフェイス４０に送信することができ、金属製ケース１１を開封したり、専用のコネクタを使用することなく容易にＲＯＭ２２の内容のダンプを得ることができる。
【００２５】
なお、ステップＳ２２０にて解析したコマンドがＩ／Ｏチェックを意味する場合、ステップＳ２３０の判断を経てＣＰＵ２１はステップＳ２７０にてＩ／Ｏチェックを実行する。このＩ／ＯチェックではＣＰＵ２１は遊技制御Ｉ／Ｏ２３を介して各種のセンサや表示器の動作状況をチェックし、ステップＳ２８０にてチェック結果をＲＯＭダンプと同様にしてインターフェイス回路３４より外部に出力する。むろん、このＩ／Ｏチェックは便宜的なものであり、必ずしも必要ではないが、ＲＯＭダンプ以外にもこのような利用も可能である。
【００２６】
＜第二実施形態＞
上述した第一実施形態においては、インターフェイス回路３４に接続するＬＥＤ３２やフォトトランジスタ３３を樹脂性支持部材３１ａ，３１ｂにて透明の樹脂板１２裏面にて中空支持させているが、図８及び図９に示す第二実施形態においてはほぼ基板１２０上にＬＥＤ１３２やフォトトランジスタ１３３を配設している。
ただし、これらのＬＥＤ１３２やフォトトランジスタ１３３は上ケース１１１ａに形成した複数のスリット１１１ａ１に沿って配設されており、これに対応して外部光通信インターフェイス１４０の入力部１４２ａと出力部１４２ｂは、図１０に示すように同スリット１１１ａ１に挿入可能な二枚の平行な板状に形成されている。この場合、図１１に示すように入力部１４２ａと出力部１４２ｂは中空の筒状に形成され、筒体の先端が基板１２０上のＬＥＤ１３２やフォトトランジスタ１３３に当接してちょうどは入り込むようになっており、後端には対応するフォトトランジスタ１４２ａ１やＬＥＤ１４２ｂ１が保持されている。
【００２７】
本実施形態における実際の作用は第一実施形態と同様であるが、スリット１１１ａ１に入力部１４２ａと出力部１４２ｂを挿入して位置固定できるため、ダンプ作業が容易になる。なお、本実施形態においては入力部１４２ａと出力部１４２ｂを板状に形成しているが、光ファイバなどを使って金属製ケース１１１内に導入するようにしても良い。
＜第三実施形態＞
第三実施形態は、図１２〜図１４に示すように、透明の樹脂板２１２を利用して角筒状の凹部２１２ａを形成し、その側壁面に対面してＬＥＤ２３２とフォトトランジスタ２３３を配置してあるとともに、その底部には基板２２０上に配設したマイクロスイッチ２１４を突出せしめてある。また、外部光通信インターフェイス２４０においては、当該凹部２１２ａに挿入可能な角柱状の凸部２４３を形成してあるとともに同凸部２４３の側面には凹部２１２ａ内にてＬＥＤ２３２とフォトトランジスタ２３３と対面するようにフォトトランジスタ２４２ａ１やＬＥＤ２４２ｂ１を配設し、さらに本体２４４背面にはＲＯＭダンプを指示するテンキー２４４ａや操作子２４４ｂや表示器２４４ｃなどを配設してある。
【００２８】
このように構成した本実施形態においては、図示しないＣＰＵ２２１がマイクロスイッチ２１４の作動によって外部光通信インターフェイス２４０が挿入されたことを検知し、自動的にダンプを開始するようにできる。
＜その他の実施形態＞
上述した実施形態においては、ＲＯＭダンプを指令するためにダンプ指令手段としてキースイッチ１３を使用していたが、必ずしも指令用のスイッチを必要とするわけではない。
【００２９】
図１５は、このような指令用のスイッチを不要とする他の実施形態における起動時の処理を示している。この実施形態の場合、起動時にステップＳ１０２にて図示しない電源供給線以外のコネクタの接続状況をチェックしてみる。通常であれば各コネクタは接続されているはずであるから、上述した実施形態と同様にステップＳ１００にて初期化の処理を実施するが、所定のコネクタを外しておいた場合には、ステップＳ１０４にてＲＯＭダンプを開始する。このようにすれば、専用のスイッチなどが不要となるので、コストを下げることができる。また、通常の起動時に毎回ＲＯＭダンプするわけではないので効率的である。
【００３０】
上述した実施形態においては、通信速度の向上のためにパラレル通信を実行するようにしているが、むろんシリアル通信で実行することも可能である。また、図１６および図１７は本来的に制御基板ボックス１０が備えているステータス表示用のＬＥＤ３５，３５を流用する例を示している。この場合、ＲＯＭダンプするときには同ＬＥＤ３５，３５をステータス表示に使用するのではなく、通信プロトコルに合わせて明滅状態を変化させてシリアル送信する。この際、複数のＬＥＤ３５，３５があるのであれば、一方を同期用に使用しても良い。また、図１７に示すように基板２０からＬＥＤ３５，３５を立設せしめるとともに、金属製ケース１１に形成した小孔１４，１４に入り込ませることにより、遮光部材や支持部材を要しなくなるのでコストダウンをはかれる。さらに、外部光の影響を受けにくくなるので赤外線以外の可視光でも十分利用可能である。なお、シリアル通信は指令を出力する側にも利用可能であり、送受信をそれぞれシリアル通信するようにしても良い。
【００３１】
また、図１８〜図２０においては第三実施形態のものをより簡易化した構成例を示している。この場合、透明の樹脂板３１２を利用して丸孔状の筒部３１２ａを形成してあり、同筒部３１２ａの端部はプリント基板３２０表面に当接している。プリント基板３２０上には一つのＬＥＤ３３６を配設してあり、前述したようにシリアル通信を行う。また、このＬＥＤ３３６の両脇にはスルーホールを介して裏面のプリント配線側に接続された端子部３２１，３２１を形成してあり、図示しない遊技制御Ｉ／Ｏにて両端子部３２１，３２１間が導通状態か非導通状態か検知できるようになっている。
【００３２】
図２０に示すのはライトペンのような外部光通信インターフェイス３４０であり、先端中央にフォトトランジスタ３４１が配設され、先端周縁部には金属リング３４２が配設してある。
かかる光受信手段のみからなる外部光通信インターフェイス３４０を上記筒部３１２ａ内に挿入すると、先端の金属リング３４２が二つの端子部３２１，３２１間を導通させるので、遊技制御Ｉ／Ｏにて検知され、図示しないＣＰＵはダンプ指令されたものと判断して光送信手段であるＬＥＤ３３６を使用してシリアル一方向通信によるダンプを開始する。
【００３３】
この例においても、使用するＬＥＤは一つで済むし、スイッチの代わりとなる端子部３２１，３２１はプリント配線に過ぎないので実質的なコストは極めて低減化できる。
この他、既存のテレビなどのリモコンにおける送信ユニットなどを利用することもでき、この場合には既存のユニットを利用することによってコストを低減できるとともに、送受信の両方で汎用性を持たせやすくなる。
【図面の簡単な説明】
【図１】本発明の一実施形態にかかる制御基板ボックスの平面図である。
【図２】同制御基板ボックスのＩＩ−ＩＩ線矢視断面図である。
【図３】同制御基板ボックスの概略ブロック図である。
【図４】同制御基板ボックスのメインルーチンのフローチャートである。
【図５】同制御基板ボックスの光通信処理のフローチャートである。
【図６】同制御基板ボックスに対応した外部光通信インターフェイスの表側の斜視図である。
【図７】同制御基板ボックスに対応した外部光通信インターフェイスの裏側の斜視図である。
【図８】他の実施形態にかかる制御基板ボックスの平面図である。
【図９】同制御基板ボックスのＩＸ−ＩＸ線矢視断面図である。
【図１０】同制御基板ボックスに対応した外部光通信インターフェイスの表側の斜視図である。
【図１１】同制御基板ボックスに対応した外部光通信インターフェイスの断面図である。
【図１２】他の実施形態にかかる制御基板ボックスの斜視図である。
【図１３】同制御基板ボックスに対応した外部光通信インターフェイスの表側の斜視図である。
【図１４】同制御基板ボックスのＸＩＶ−ＸＩＶ線矢視断面図である。
【図１５】変形例にかかる起動処理のフローチャートである。
【図１６】変形例にかかる制御基板ボックスの部分斜視図である。
【図１７】同変形例にかかる制御基板ボックスの部分断面図である。
【図１８】他の変形例にかかる制御基板ボックスの部分斜視図である。
【図１９】同変形例にかかる制御基板ボックスの断面図である。
【図２０】同変形例に対応した外部光通信インターフェイスの斜視図である。
【符号の説明】
１０…制御基板ボックス
１１…金属製ケース
１２…樹脂板
１３…キースイッチ
２０…基板
２１…ＣＰＵ
２２…ＲＯＭ
３１ａ，３１ｂ…樹脂性支持部材
３２…ＬＥＤ
３３…フォトトランジスタ
３４…インターフェイス回路
４０…外部光通信インターフェイス
４２ａ…入力部
４２ｂ…出力部
１１１…金属製ケース
１１１ａ１…スリット
１３２…ＬＥＤ
１３３…フォトトランジスタ
１４０…外部光通信インターフェイス
１４２ａ…入力部
１４２ｂ…出力部
２１２…樹脂板
２１２ａ…凹部
２１４…マイクロスイッチ
２２１…ＣＰＵ
２３２…ＬＥＤ
２３３…フォトトランジスタ
２４３…凸部
２４４…本体
３１２…透明の樹脂板
３１２ａ…筒部
３２０…プリント基板
３２１，３２１…端子部
３３６…ＬＥＤ
３４０…外部光通信インターフェイス
３４１…フォトトランジスタ
３４２…金属リング
【図１】
0003627424.tif 000002
【図２】
0003627424.tif 000003
【図３】
0003627424.tif 000004
【図４】
0003627424.tif 000005
【図５】
0003627424.tif 000006
【図６】
0003627424.tif 000007
【図７】
0003627424.tif 000008
【図８】
0003627424.tif 000009
【図９】
0003627424.tif 000010
【図１０】
0003627424.tif 000011
【図１１】
0003627424.tif 000012
【図１２】
0003627424.tif 000013
【図１３】
0003627424.tif 000014
【図１４】
0003627424.tif 000015
【図１５】
0003627424.tif 000016
【図１６】
0003627424.tif 000017
【図１７】
0003627424.tif 000018
【図１８】
0003627424.tif 000019
【図１９】
0003627424.tif 000020
【図２０】
0003627424.tif 000021